(57)【特許請求の範囲】
【請求項１】
少なくとも１つのペンダントジオキシラン部分を含むポリマーであって、
【化１】
0005806409.tif 000024
【化４】
0005806409.tif 000025
である、ポリマー。
【請求項２】
気体をフィルターに通すことを含む気体浄化方法であって、フィルターが、請求項１に記載のペンダントジオキシラン部分を含むポリマーを含む、方法。
【請求項３】
気体が、生物学的汚染物質または化学的汚染物質を含む、請求項２に記載の方法。
【請求項４】
ペルオキシモノサルフェートを含む溶液にフィルターを曝露すること含むフィルターを再生利用することをさらに含む、請求項２または３に記載の方法。
【請求項５】
液体をフィルターに通すことを含む液体浄化方法であって、フィルターが、請求項１に記載のペンダントジオキシラン部分を含むポリマーを含む、方法。
【請求項６】
液体が、生物学的汚染物質または化学的汚染物質を含む、請求項５に記載の方法。
【請求項７】
ペルオキシモノサルフェートを含む溶液にフィルターを曝露すること含むフィルターを再生利用することをさらに含む、請求項５または６に記載の方法。
【発明の詳細な説明】
【技術分野】
【０００１】
本技術は、気体および液体浄化のための活性化学フィルター用化合物に関する。
【背景技術】
【０００２】
以下の記載は、読者の理解に役立つように提供する。提供する情報または引用する参考文献はいずれも、本技術に対する先行技術であることを認めるものではない。
【０００３】
信頼性があり、有効でかつ低コストの、閉鎖空間における空気処理システムに対して世界中で需要が増加している。空気の汚染物質としては、揮発性有機化合物（ＶＯＣ）、無機／有機粒子および細菌、菌（かび）などの生物学的粒子ならびにさまざまなその他の生物学的汚染物質（ウイルスを含む）が挙げられる。空気を浄化するために多くのろ過方策が存在するが、さまざまな欠点に悩まされている。
【０００４】
物理的なろ過方策は、大半の粒子を除去するが、ＶＯＣに対してはあまり効果がない。これは、微生物の繁殖場所にもなる場合があり、これが、フィルターを通過する空気の流速を損なう。
【０００５】
静電気的ろ過方策は、基本的な物理的ろ過について改善し、空気の流れをさらに制限することがない。しかしながら、フィルターを帯電させるためにエネルギーが必要とされる。重要なことに、静電気的ろ過方策は、ＶＯＣには対応せず、細菌も死滅させない。したがって、これは、微生物の繁殖場所になる場合がある。
【０００６】
光化学的フィルターは、一重項酸素を生成するための薬剤として一般にＴｉＯ２を含み、これにより、微生物を死滅させることができる。一般に有効で、ＴｉＯ２の有効期間は長いにもかかわらず、フィルターの活性種、例えば、一重項酸素の有効期間は極めて短い。さらに、有利なＴｉＯ２の反応速度は、わずかな表面に制限される。
【０００７】
活性化学的ろ過は有効であるが、有効期間が短過ぎる場合もある。さらに、フィルターは、高価でありかつ／または交換もしくはリチャージが厄介であり得る。その他の問題は、活性化学物質が健康上有害であり得ること（例えば、オゾン）、および／または極めて遅い反応速度（例えば、ペルオキシモノサルフェート）である。
【発明の概要】
【０００８】
本技術は、微生物およびＶＯＣに対して反応性であり、そうした物質を酸化させて死滅させるかまたは無害なものにすることができる、ペンダントジオキシラン部分を有するポリマーを提供する。これは、汚染された流体、すなわち、気体または液体が通過する可能性のあるフィルター中に本ポリマーを配置することによって達成される。流体がフィルターを通過するときに、汚染物質の少なくとも一部はペンダントジオキシラン部分によって酸化され得、これにより、流体を浄化し、流体中に存在する汚染物質の量を低減または除去することができる。
【０００９】
一態様において、ポリマーは、ペンダントジオキシラン部分を含む。さまざまな実施形態において、ペンダントジオキシラン部分は、一般に式Ｉまたは式ＩＩによって表わされる。
【００１０】
【化１】
0005806409.tif 000002
【００１１】
式Ｉにおいて、ペンダントジオキシランは、ポリマーの骨格を外れて延びる側鎖の一部であることができる。式ＩＩにおいて、ペンダントジオキシランは、ポリマーの骨格の一部であることができる。上記式Ｉにおいて、Ｒ１は、結合（すなわち、存在しない）、アルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルまたはアルキルカルボキシアルキルであることができ；Ｒ２は、電子求引性基であることができ；Ｒ３は、水素、アルキル、ペルハロアルキル、シクロアルキル、アリール、ヘテロアリール、ヘテロシクリル、アミノ、カルボニル、カルボキシル、アルキルカルボキシ、カルボキシアルキルまたはアルキルカルボキシアルキルであることができる。
【００１２】
別の態様において、オキソ基を含む第１のポリマーを提供することと、前記オキソ基をペルオキシモノサルフェートと反応させて、ペンダントジオキシラン部分を含む第２のポリマーを形成することとを含む方法が提供される。
【００１３】
別の態様において、ペンダントジオキシラン部分を含むポリマーを含む物品が提供される。さまざまな実施形態において、この物品は、気体または液体フィルターである。
【００１４】
さらなる態様において、ペンダントジオキシラン部分を含むポリマーを含むフィルターに気体を通すことを含む、気体浄化方法であって、気体が、生物学的汚染物質または化学的汚染物質を含む、方法が提供される。一部の実施形態において、気体は空気である。
【００１５】
別の態様において、液体または気体などの流体を、フィルターに通すことを含む流体浄化方法であって、フィルターが、ペンダントジオキシラン部分を含むポリマーを含み、流体が、生物学的汚染物質または化学的汚染物質を含む、方法が提供される。
【００１６】
別の態様において、ケトン部分を含むポリマーを含むフィルターを提供することと、ポリマーをペルオキシモノサルフェートと反応させることによってケトン部分をジオキシラン部分に変換することとを含む方法が提供される。
【００１７】
前述の概要は、説明のためのものに過ぎず、いかなる限定も意図しない。以下の図面および詳細な説明を参照することによって、上記の例示的な態様、実施形態および特徴に加えて、さらなる態様、実施形態および特徴が明らかになるであろう。
【発明を実施するための形態】
【００１８】
詳細な説明および請求項に記載される例示的な実施形態は、限定することを意図していない。ここで提示される主題の趣旨または範囲を逸脱することなく、他の実施形態が利用されてもよく、その他の変更が行われてもよい。
【００１９】
本技術は、明細書全体を通して記載されるいくつかの定義を使用して本明細書に記載される。
【００２０】
本明細書中で使用される場合、別に明記されない限り、単数形「１つの（ａ）、（ａｎ）」および「前記、その（ｔｈｅ）」には、複数の言及も含まれる。したがって、例えば、「細胞（ａ  ｃｅｌｌ）」の言及には、複数の細胞が含まれ、「分子（ａ  ｍｏｌｅｃｕｌｅ）」の言及は、１つまたは複数の分子についての言及である。
【００２１】
本明細書中で使用される場合、「約」については、当業者に理解され、使用される文脈に応じてある程度変化するであろう。用語の使用が当業者に明白でない場合、それが使用される文脈を考慮して、「約」は、特定の用語のプラスまたはマイナス１０％までを意味するものとする。
【００２２】
アルキル基は、１から２４個の炭素もしくは本明細書中で示される炭素の数を有する直鎖、分岐鎖または環式アルキル基を含む。一部の実施形態において、アルキル基は、１から１６個の炭素原子、１から１２個の炭素、１から８個の炭素を有し、あるいは、一部の実施形態においては、１から６個または１、２、３、４もしくは５個の炭素原子を有する。直鎖アルキル基の例としては、メチル、エチル、ｎ−プロピル、ｎ−ブチル、ｎ−ペンチル、ｎ−ヘキシル、ｎ−ヘプチルおよびｎ−オクチル基などの基が挙げられる。分岐アルキル基の例としては、以下に限定されるものではないが、イソプロピル、イソブチル、ｓｅｃ−ブチル、ｔｅｒｔ−ブチル、ネオペンチル、イソペンチルおよび２，２−ジメチルプロピル基が挙げられる。一部の実施形態において、アルキル基は、置換アルキル基であってもよい。
【００２３】
シクロアルキル基は、３から１０個の炭素原子を有する環式アルキル基である。一部の実施形態において、シクロアルキル基は、３から７個の環員を有するのに対して、他の実施形態においては、環炭素原子の数が３から５個、３から６個または５、６もしくは７個に及ぶ。シクロアルキル基は、単環式、二環式および多環式の環系をさらに含む。単環基としては、例えば、シクロプロピル、シクロブチル、シクロペンチル、シクロヘキシルおよびシクロヘプチル基が挙げられる。二環式および多環式シクロアルキル基としては、架橋または縮合環、例えば、以下に限定されるものではないが、ビシクロ［３．２．１］オクタン、デカリニルなどが挙げられる。シクロアルキル基には、上で定義されたとおりの直鎖または分岐鎖アルキル基により置換された環が含まれる。一部の実施形態において、シクロアルキル基は、置換シクロアルキル基である。代表的な置換アルケニル基は、一置換であってもよく、または２回以上置換されていてもよく、例えば、以下に限定されるものではないが、上で挙げたものなどの置換基による一、二もしくは三置換である。代表的な置換アルキル基は、一置換であってもよく、または２回以上置換されていてもよく、例えば、以下に限定されるものではないが、上で挙げたものなどの置換基による一、二もしくは三置換である。
【００２４】
アルケニル基は、２個の炭素原子間に少なくとも１つの二重結合が存在することを除いて上で定義されたとおりの直鎖および分岐鎖アルキル基を含む。したがって、アルケニル基は、２から２４個の炭素原子、一般に２から１０個の炭素を有し、一部の実施形態においては、２から８個、２から６個または２から４個の炭素原子を有する。例としては、以下に限定されるものではないが、とりわけ、ビニル、アリル、−ＣＨ＝ＣＨ（ＣＨ３）、−ＣＨ＝Ｃ（ＣＨ３）２、−Ｃ（ＣＨ３）＝ＣＨ２、−Ｃ（ＣＨ３）＝ＣＨ（ＣＨ３）、−Ｃ（ＣＨ２ＣＨ３）＝ＣＨ２が挙げられる。代表的な置換アルケニル基は、一置換であってもよく、または２回以上置換されていてもよく、例えば、以下に限定されるものではないが、上で挙げたものなどの置換基による一、二もしくは三置換である。
【００２５】
単独または別の置換基の一部としての「アルキレン」、「シクロアルキレン」および「アルケニレン」という用語は、−ＣＨ２ＣＨ２ＣＨ２ＣＨ２−によって例示されるような、それぞれ、アルキル、シクロアルキルまたはアルケニル基から誘導された二価のラジカルを意味する。アルキレン、シクロアルキレンおよびアルケニレン連結基については、連結基の向きは示さない。
【００２６】
本明細書中で使用される場合、「アミン」（または「アミノ」）という用語は、−ＮＨＲおよび−ＮＲＲ’基を指し、ＲおよびＲ’は、独立して水素または本明細書中で定義されるとおりの置換もしくは非置換アルキル、アルケニル、アルキニル、シクロアルキル、アリールもしくはアラルキル基である。アミノ基の例としては、−ＮＨ２、メチルアミノ、ジメチルアミノ、エチルアミノ、ジエチルアミノ、プロピルアミノ、イソプロピルアミノ、フェニルアミノ、ベンジルアミノなどが挙げられる。
【００２７】
「オキソ」という用語は、二価の酸素基を指す。この用語は、カルボニル基に見られるようなものなどの二重結合した酸素を含むが、本明細書中で使用される場合、オキソという用語は、明確にポリマー骨格の一部である形態−Ｏ−の単結合した酸素を含む。したがって、オキソ基は、エーテル結合（−Ｏ−）、エステル結合（−Ｏ−Ｃ（Ｏ）−）、カーボネート結合（−Ｏ−Ｃ（Ｏ）Ｏ−）、カルバメート結合（−Ｏ−Ｃ（Ｏ）ＮＨ−または−Ｏ−Ｃ（Ｏ）ＮＲ−）などの一部であってもよい。
【００２８】
「置換される、置換の（ｓｕｂｓｔｉｔｕｔｅｄ）」は、１つまたは複数の置換基、例えば、低級アルキル（ハロアルキル、ヒドロキシアルキル、アミノアルキルなどの置換低級アルキルを含む）、アリール（置換アリールを含む）、アシル、ハロゲン、ヒドロキシ、アミノ、アルコキシ、アルキルアミノ、アシルアミノ、チオアミド、アシルオキシ、アリールオキシ、アリールオキシアルキル、カルボキシ、チオール、硫化物、スルホニル、オキソ、飽和および不飽和両方の環式炭化水素（例えば、シクロアルキル、シクロアルケニル）、シクロヘテロアルキルなどをさらに含む、本明細書に記載されるような化学基を指す。これらの基は、任意の炭素またはアルキル、アルケニル、アルキニル、アリール、シクロヘテロアルキル、アルキレン、アルケニレン、アルキニレン、アリーレン、ヘテロ部分の置換基と結合していてもよい。さらに、置換基は、炭素鎖自体から突き出ていてもよく、または、その一部を成してもよい。
【００２９】
本技術は、微生物およびＶＯＣに対して反応性であり、そうした物質を酸化させて死滅させるかまたは無害なものにすることができるペンダントジオキシラン部分を有するポリマーを提供する。一部の実施形態において、これは、汚染された流体、すなわち、気体または液体が通過する可能性のあるフィルター中に本ポリマーを配置することによって達成される。汚染された流体は、微生物またはＶＯＣなどの汚染物質を含むこともある。流体がフィルターを通過するときに、汚染物質の少なくとも一部分がペンダントジオキシラン部分によって酸化されることもあり、これにより、流体を浄化し、流体中に存在する汚染物質の量を低減または除去する。
【００３０】
一態様において、ペンダントジオキシラン部分を含むポリマーが提供される。ジオキシランは、さまざまなペルオキシカルボニル種を使用したカルボニル基の酸化によって調製できる環式過酸化物である。ペンダントジオキシランは、ポリマー骨格内にある環式基の員を含んでもよく（すなわち、炭素原子がポリマー鎖中に位置するカルボニル基の酸化による）、またはペンダントジオキシランは、有機基の一部であってもよく、ポリマー骨格の側鎖であってもよい。
【００３１】
一実施形態において、本ポリマーは、式ＩまたはＩＩによって表わされる単位を含む。
【００３２】
【化２】
0005806409.tif 000003
【００３３】
式Ｉにおいて、ペンダントジオキシランは、ポリマーの骨格を外れて延びる側鎖の一部である。式ＩＩにおいて、ペンダントジオキシランは、ポリマーの骨格の一部である。式Ｉにおいて、Ｒ１は、結合である（すなわち、Ｒ１は存在しない）か、またはＲ１は、アルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり；Ｒ２は、電子求引性基を含み；Ｒ３は、Ｈ、アルキル、ペルハロアルキル、シクロアルキル、アリール、ヘテロアリール、ヘテロシクリル、アミノ、カルボニル、カルボキシル、アルキルカルボキシ、カルボキシアルキルまたはアルキルカルボキシアルキルである。
【００３４】
式Ｉにおいて、電子求引性基は、−Ｎ＋Ｒ４Ｒ５Ｒ６基、ハロゲン、ＮＯ２、Ｃ（Ｏ）Ｈ、ＣＯ２Ｒ７基、アルコキシ基またはペルハロアルキル基であり、Ｒ４、Ｒ５、Ｒ６およびＲ７は、それぞれ独立してＨ、アルキルまたはシクロアルキルである。一部の実施形態によると、電子求引性基は、ペルフルオロアルキルである。
【００３５】
さまざまな実施形態において、Ｒ１は、アルキレン、ペルハロアルキレン、カルボニル、カルボキシル、アルキルカルボキシル、カルボキシアルキルまたはアルキルカルボキシアルキルである。
【００３６】
ポリマー骨格は、一般にカルボニル基を含む任意のポリマーであってもよく、これにカルボニル基を含む部分が結合してもよい。例えば、ポリマー骨格は、ポリオレフィン、ポリアルキレンテレフタレート、ポリアクリレート、ポリラクテート、ポリカーボネート、ポリエステル、ポリサッカライド、ポリアセテート、ポリスチレン無水マレイン酸、ポリウレタン、ポリアミド、ポリアクリルアミド、ポリメタクリレート、ポリ（メチル）メタクリレート、アラミドまたは任意の２つ以上のそのようなポリマーのコポリマーであってもよい。
【００３７】
他の実施形態において、本ポリマーは、式ＩＩＩまたはＩＶによって表わされる単位を含む。
【００３８】
【化３】
0005806409.tif 000004
【００３９】
式ＩＩＩおよびＩＶにおいて、Ｒ１は存在しないか（すなわち、ポリマー骨格とジオキシランのメチレン基の間の結合）またはＲ１は、アルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり；Ｒ２は、電子求引性基であり；Ｒ８は、−Ｎ＋Ｒ４Ｒ５またはアルキルであり；Ｒ９は、−Ｎ＋Ｒ４Ｒ５またはアルキルであり；各Ｒ４は、独立してＨ、アルキルまたはシクロアルキルであり；各Ｒ５は、独立してＨ、アルキルまたはシクロアルキルであり；Ｒ６は、Ｈ、アルキルまたはシクロアルキルであり；Ｒ７は、Ｈ、アルキルまたはシクロアルキルである。適した電子求引性基としては、以下に限定されるものではないが、−Ｎ＋Ｒ４Ｒ５Ｒ６基、ハロゲン、ＮＯ２、Ｃ（Ｏ）Ｈ、ＣＯ２Ｒ７基、アルコキシ基またはペルハロアルキル基が挙げられ、Ｒ４、Ｒ５、Ｒ６およびＲ７は、それぞれ独立してＨ、アルキルまたはシクロアルキルである。一部の実施形態によると、式ＩＩＩの電子求引性基は、ペルフルオロアルキルである。一部の実施形態によると、Ｒ１は、アルキレン、ペルハロアルキレン、カルボニル、カルボキシル、アルキルカルボキシル、カルボキシアルキルまたはアルキルカルボキシアルキルである。式ＩＩＩの一部の実施形態において、Ｒ１は存在しないか、またはＲ１は、Ｃ１〜Ｃ６アルキレンもしくは−Ｎ＋Ｒ４Ｒ５であり；Ｒ２は、アルキレン、ペルハロアルキレン、ＣＯ２Ｒ７または−Ｎ＋Ｒ４Ｒ５Ｒ６である。式ＩＶの一部の実施形態において、Ｒ８は、−Ｎ＋Ｒ４Ｒ５またはアルキルであり；Ｒ９は、−Ｎ＋Ｒ４Ｒ５またはアルキルである。一部の実施形態において、本ポリマーは、式ＩＩＩによって表わされる繰り返し単位を含み、Ｒ１は、存在しないか、またはメチレンまたはエチレンであり；Ｒ２は、Ｈ、メチル、エチルまたはトリメチルアンモニウムである。一部の実施形態において、本ポリマーは、式ＩＶによって表わされる繰り返し単位を含み、Ｒ８は、Ｃ１〜Ｃ８アルキレンであり；Ｒ９は、−Ｎ＋Ｒ４Ｒ５であり、Ｒ４は、アルキルであり；Ｒ５は、アルキルである。一部の実施形態において、Ｒ８は、−Ｎ＋Ｒ４Ｒ５であり；Ｒ９は、−Ｎ＋Ｒ４Ｒ５であり；Ｒ４は、アルキルであり；Ｒ５は、アルキルである。
【００４０】
ポリマーのジオキシラン部分は、反応性の高い基ではあるが、ジオキシランを実際に使用できるだけ十分に長い有効期間を有する。上述のとおり、ペンダントジオキシランを含むポリマーは、少なくとも１つのカルボニル（ＣＯ）基を有するポリマーから生成されてもよい。選択肢がこうした広い範囲であるため、ポリマーの特性を広い範囲の用途に対して改変することが可能になる。
【００４１】
例えば、さまざまな溶液との適合性を高めるために、ポリマーは、さらに親水性またはさらに疎水性のいずれかになるよう選択されてもよい。ポリマーが水溶液を純化するために使用される場合は、カルボキシル基、ヒドロキシル基、エーテル、アミンまたはアンモニウム基などの基を含むより親水性のポリマーを有することが望ましい場合もある。ポリマーが汚染された油を純化するために使用される場合は、ポリマーは、ポリマーの疎水性を高めるためにより多くのアルキルまたはアリール基を含んでもよい。さらに、異なるポリマーをともに使用する能力により、対象とする利用環境が極めて広範囲になり、酸化される汚染物質の範囲を広くできる。
【００４２】
別の態様において、ペンダントジオキシラン部分を有するポリマーを調製する方法が提供される。例えば、本方法は、カルボニル基を含む第１のポリマーを提供することと、カルボニル基をペルオキシモノサルフェートと接触させてペンダントジオキシラン部分を含む第２のポリマーを形成することとを含むことができる。本方法は、第１のポリマーを、ペルオキシモノサルフェートを含む溶液と合わせることを含んでもよい。さまざまな実施形態において、ペンダントジオキシラン部分、すなわち、第２のポリマーは、上記の式Ｉ、ＩＩ、ＩＩＩまたはＩＶいずれかによって表わされる。
【００４３】
さまざまな実施形態において、第１のポリマーとしては、ポリアルキレンテレフタレート、ポリアクリレート、ポリラクテート、ポリカーボネート、ポリエステル、ポリサッカライド、ポリアセテート、ポリスチレン無水マレイン酸、ポリウレタン、ポリアミド、ポリ尿素、ポリアクリルアミド、ポリメタクリレート、ポリ（メチル）メタクリレート、アラミドまたは任意の２つ以上のそのようなポリマーのコポリマーが挙げられる。一部の実施形態において、第１のポリマーは、ポリ（アルキル−２−ケトアルケノエート）を含む。特定の実施形態において、ポリ（アルキル−２−ケトアルケノエート）は、ポリ（メチル−２−ケト−３−ブテノエート）またはポリ（メチル−２−ケト−４−ペンテノエート）である。
【００４４】
適したペルオキシモノサルフェートとしては、以下に限定されるものではないが、アルカリ金属ペルオキシモノサルフェート、アンモニウムペルオキシモノサルフェートおよびホスホニウムペルオキシモノサルフェートのようなものが挙げられる。例示的なペルオキシモノサルフェートとしては、以下に限定されるものではないが、リチウムペルオキシモノサルフェート、ナトリウムペルオキシモノサルフェート、カリウムペルオキシモノサルフェート、テトラメチルアンモニウムペルオキシモノサルフェート、テトラエチルアンモニウムペルオキシモノサルフェート、トリメチルアンモニウムペルオキシモノサルフェート、トリエチルアンモニウムペルオキシモノサルフェート、トリイソプロピルアンモニウムペルオキシモノサルフェート、テトライソプロピルアンモニウムペルオキシモノサルフェートおよびベンジルトリフェニルホスホニウムペルオキシモノサルフェートが挙げられる。
【００４５】
ペルオキシモノサルフェート酸化剤は、例えば、ＯＸＯＮＥ（登録商標）（ＤｕＰｏｎｔ、ウィルミントン、ＤＥ）の名称で販売されているカリウムペルオキシモノサルフェートのように、商業的に入手可能である。さまざまな対イオン、例えば、アルカリ金属カチオン、アルカリ土類金属カチオン、アンモニウムカチオン、テトラアルキルアンモニウムカチオンなどを有するその他の形態のペルオキシモノサルフェートが入手可能である。例えば、テトラブチルアンモニウムカチオンを有するペルオキシモノサルフェートの形態は、ＯＸＯＮＥ（登録商標）テトラブチルアンモニウム塩（Ｓｉｇｍａ−Ａｌｄｒｉｃｈ、セントルイス、ＭＯ）の名称で商業的に入手可能である。
【００４６】
ペルオキシモノサルフェート溶液は、約０．１ミリモルから約１モルまたは一部の例においては、約１ミリモルから約１００ミリモルの濃度で水およびペルオキシモノサルフェート化合物から調製されてもよい。一部の例において、ペルオキシモノサルフェート溶液は、ｐＨを調節するために塩基またはバッファを含んでもよい。この溶液は、約４から約１０の間のｐＨであってもよく、または一部の例において、ｐＨは約７であってもよい。ペルオキシモノサルフェート溶液のｐＨを調節するための適した塩基としては、アルカリ金属およびアルカリ土類金属の炭酸塩および重炭酸塩、例えば、炭酸水素ナトリウム、炭酸カリウムなどが挙げられる。一部の例において、ペルオキシモノサルフェート溶液は、加工助剤、湿潤助剤などとして機能することもある他の成分を含んでもよい。例えば、ペルオキシモノサルフェート溶液は、有機溶媒、界面活性剤および／または相間移動試薬（ｐｈａｓｅ  ｔｒａｎｓｆｅｒ  ｒｅａｇｅｎｔ）を含んでもよい。適した有機溶媒としては、水混和性有機溶媒、例えば、アセトニトリル、アルコールなどが挙げられる。適した界面活性剤としては、アニオン性、カチオン性および非イオン性界面活性剤が挙げられる。適した相間移動試薬としては、例えば、有機第四級アンモニウム塩、例えば、臭化テトラブチルアンモニウムが挙げられる。一部の例において、界面活性剤は、相間移動試薬としてさらに機能してもよく、例えば、第四級アンモニウム界面活性剤、臭化セチルトリメチルアンモニウムである。一部の例において、ペルオキシモノサルフェートは、第四級アンモニウム塩として提供されてもよく、例えば、ＯＸＯＮＥ（登録商標）テトラブチルアンモニウム塩である。
【００４７】
例示的な一例において、本方法は、カルボニル基を有する第１のポリマーを水とＫＨＳＯ５（カリウムペルオキシモノサルフェート）の混合物と接触させることを含む。完了後に、ペンダントジオキシランを有するポリマーが回収され、単離される。
【００４８】
別の態様において、ペンダントジオキシラン部分を含むポリマーを含む物品が提供される。そのようなポリマーは、式Ｉ、ＩＩ、ＩＩＩおよびＩＶに関して上記のとおりであってもよい。一部の実施形態において、本物品は、フィルターなどの繊維質の織られた基材である。そのようなフィルターは、ポリマーを後にフィルターにされる繊維にすることによって作製してもよく、またはポリマーは、膨らませて後にフィルターにされる発泡体にされてもよい。ペンダントジオキシラン部分がポリマー上に形成される前または後のいずれかに、ポリマーはフィルターにされてもよい。例えば、カルボニル基を含む第１のポリマーが、フィルターにされる。そのフィルターは、その後、ペルオキシモノサルフェートと接触させられてポリマー上にペンダントジオキシラン部分を形成する。あるいは、ペンダントジオキシラン部分を有するポリマーがフィルターにされる。さまざまな実施形態において、本物品は、流体フィルターである。例えば、流体フィルターは、気体フィルターまたは液体フィルターであってもよい。気体フィルターとしては、これに限定されるものではないが、エアフィルターが挙げられる。フィルターは、家庭用エアフィルターおよびＨＥＰＡフィルターが構築されるのと同じ方法で構築されてもよい。
【００４９】
例えば、フィルターなどの不織の繊維質基材は、空気を通す基材を作り出すために混ざり合った繊維を用いて製造されてもよい。ランダムに重ね合わせた繊維のマットは、商業的に入手可能な不織布製造装置によって、その製造業者により示される方法に従って生産されてもよい。例えば、適した装置は、ＲＡＮＤＯ−ＷＥＢＢＥＲ（登録商標）（Ｃｕｒｌａｔｏｒ  Ｃｏｒｐｏｒａｔｉｏｎ、ロチェスター、ＮＹ）であってもよい。
【００５０】
形成されたら、ペンダントカルボニル基を含むポリマー繊維を有する繊維質基材は上記のとおり、水とペルオキシモノサルフェートの混合物と接触させてもよい。空気を通す不織の繊維質基材は、不織布製造装置を使用して従来の手法で形成されてもよい。この基材を、ポリマーに形成されるジオキシラン基をペンダントカルボニル基から得るために、例えば、噴霧、浸漬などによってペルオキシモノサルフェート溶液と接触させてもよい。使用済みのペルオキシモノサルフェート溶液は、再使用および再生利用のために回収されてもよい。
【００５１】
そのような機械によって製造される繊維質基材は、結合剤、接着剤、補強剤（ｓｔｉｆｆｅｎｅｒ）および難燃剤を含んでもよく、これらは、ペルオキシモノサルフェート溶液による処理後に適用されてもよい。繊維質基材のろ過特性は、繊維サイズ、繊維質基材の厚さおよび製造に使用される結合剤の種類によって決まる場合もある。
【００５２】
さらなる態様において、気体をフィルターに通すことを含む気体浄化の方法が提供され、フィルターは、ペンダントジオキシラン部分を含むポリマーを含み、気体は、生物学的汚染物質または化学的汚染物質を含む。別の態様において、液体をフィルターに通すことを含む液体浄化の方法が提供され、フィルターは、ペンダントジオキシラン部分を含むポリマーを含み、液体は、生物学的汚染物質または化学的汚染物質を含む。
【００５３】
一部の実施形態において、気体浄化の方法は、気体をフィルターに通すことをさらに含み、気体は、生物学的または化学的汚染物質を含む。気体をフィルターに通すと、ジオキシラン部分は、汚染物質を酸化し、結果としてジオキシラン部分がカルボニルまたはケトン基に還元される。フィルターは、酸化された汚染物質を捕捉するよう働いてもよく、または酸化され、不活化された汚染物質を通過させて、フィルターがポリマーと汚染物質との反応のための表面積を単に増加させるだけでもよい。本方法は、汚染物質との反応後に、ケトン基を有効量のペルオキシモノサルフェートと反応させることによってジオキシランを再生することをさらに含んでもよい。
【００５４】
別の態様において、ケトン部分を含むポリマーを含むフィルターを提供することおよびポリマーをペルオキシモノサルフェートと反応させることによってケトン部分をジオキシラン部分に変換することを含む方法が提供される。
【００５５】
このように概して記載される本技術は、以下の実施例を参照することによってさらに容易に理解されるであろう。以下の実施例は例として提供されるものであり、本技術を限定する意図はない。
【実施例】
【００５６】
基本手順Ａ：水（１Ｌ）、炭酸水素ナトリウム（２Ｍ）および２ＫＨＳＯ５・ＫＨＳＯ４・Ｋ２ＳＯ４（ＫＨＳＯ５に関して２Ｍ）の混合物を、機械スターラーにより連続的に１時間ポリマー（１００ｇ）に流す。その溶液を、ブフナー漏斗を用いたろ過によって除去し、その後、水を５０ｍＬずつ用いて２回洗浄した後、大半の水を除去するために吸引する。得られたポリマーを、その後、凍結乾燥によってさらに乾燥する。
【実施例１】
【００５７】
ペンダントジオキシラン部分を含む代表的なポリアルキレンテレフタレートの調製。ポリアルキレンテレフタレートは、既知の方法に従って１，４−ブタンジオールおよび塩化テレフタロイルから調製してもよく、またはＢＡＳＦ（ＵＬＴＲＡＤＵＲとして販売されている）などから商業的に入手してもよい。ポリアルキレンテレフタレートのカルボニル基の少なくとも１つを基本手順Ａにより酸化する。そのようなプロセスをスキーム１に示す。ここで、両方のカルボニル基がジオキシラント（dioxirante）に変換されるが、１つの基のみが変換されてもよく、ポリマー中のすべてのモノマー単位が変換される必要はないことが理解されるべきである。
【００５８】
【化４】
0005806409.tif 000005
【実施例２】
【００５９】
スキーム２によるペンダントジオキシラン部分を含む代表的なポリ（メチル）アクリレートの調製。ポリ（メチル）アクリレートは、既知の方法によってメチルアクリレートから調製してもよく、または商業的に入手してもよい。そのポリ（メチル）アクリレートを、基本手順Ａにより酸化する。注意すべき点は、ポリマーのすべてのモノマー単位がジオキシラン部分を含んでいなくてもよいことである。
【００６０】
【化５】
0005806409.tif 000006
【実施例３】
【００６１】
スキーム３によるペンダントジオキシラン部分を含むポリラクテートの調製。例示的なポリラクテートであるポリ乳酸は、既知の方法により調製してもよく、または商業的に入手してもよい。ポリ乳酸を基本手順Ａにより酸化する。
【００６２】
【化６】
0005806409.tif 000007
【実施例４】
【００６３】
ペンダントジオキシラン部分を含むポリカーボネートの調製。例示的なポリカーボネートであるポリ（ビスフェノールＡカーボネート）は、既知の方法により調製してもよく、商業的に入手してもよい。ポリ（ビスフェノールＡカーボネート）を基本手順Ａにより酸化する。そのようなプロセスをスキーム４に示す。ここで、両方のカルボニル基がジオキシラントに変換されるが、１つの基のみが変換されてもよく、ポリマー中のすべてのモノマー単位が変換される必要はないことが理解されるべきである。
【００６４】
【化７】
0005806409.tif 000008
【実施例５】
【００６５】
ペンダントジオキシラン部分を含むポリサッカライドの調製。例示的なポリサッカライドであるキチンは、既知の方法により得られるか、または商業的に入手される。キチンを基本手順Ａにより酸化する。そのようなプロセスをスキーム５に示す。ここで、両方のカルボニル基がジオキシラントに変換されるが、１つの基のみが変換されてもよく、ポリマー中のすべてのモノマー単位が変換される必要はないことが理解されるべきである。
【００６６】
【化８】
0005806409.tif 000009
【実施例６】
【００６７】
スキーム６によるペンダントジオキシラン部分を含むポリアセテートの調製。ポリビニルアセテートは、既知の方法により得られるか、または商業的に入手される。ポリビニルアセテートを基本手順Ａにより酸化する。
【００６８】
【化９】
0005806409.tif 000010
【実施例７】
【００６９】
ペンダントジオキシラン部分を含むポリスチレン無水マレイン酸の調製。ポリスチレン無水マレイン酸は、既知の方法により容易に得られるか、または商業的に入手される。ポリスチレン無水マレイン酸を基本手順Ａにより酸化する。そのようなプロセスをスキーム７に示す。ここで、両方のカルボニル基がジオキシラントに変換されるが、１つの基のみが変換されてもよく、ポリマー中のすべてのモノマー単位が変換される必要はないことが理解されるべきである。
【００７０】
【化１０】
0005806409.tif 000011
【実施例８】
【００７１】
ペンダントジオキシラン部分を含むポリウレタンの調製。ポリ（４，４’−ジフェニルメタンジイソシアネート１，２−エタンジオール）、例示的なポリウレタンおよび関連繊維を、Ｈｅｉｓｓ，  Ｈ．Ｌ．ら、Ｉｎｄ．  Ｅｎｇ．  Ｃｈｅｍ．４６、１４９８〜１５０３ページ（１９５４年）および米国特許第５，０００，８９９号および６，５３３，９７５号ならびにその参考文献に記載されている方法などの既知の方法によって調製する。ポリ（４，４’−ジフェニルメタンジイソシアネート１，２−エタンジオール）を基本手順Ａにより酸化する。そのようなプロセスをスキーム８に示す。ここで、両方のカルボニル基がジオキシラントに変換されるが、１つの基のみが変換されてもよく、ポリマー中のすべてのモノマー単位が変換される必要はないことが理解されるべきである。
【００７２】
【化１１】
0005806409.tif 000012
【実施例９】
【００７３】
スキーム９によるペンダントジオキシラン部分および第四級アミンを含む変性ポリアミドの調製。ポリ（カプロラクタム）（「ナイロン６」）を、既知の方法により調製するか、または商業的に入手する。ポリ（カプロラクタム）を、公開された方法に適合させることによって完全にメチル化して［Ｏｒｇ．  Ｓｙｎｔｈ．  Ｃｏｌｌ、５巻、３１５ページ（１９７３年）およびその参考文献］、例示的なポリアミドを形成する。
【００７４】
【化１２】
0005806409.tif 000013
【実施例１０】
【００７５】
スキーム１０によるペンダントジオキシラン部分を含む変性ポリアクリルアミドの調製。分子量範囲が５，０００，０００〜６，０００，０００のポリアクリルアミドは、既知の方法によりならびにＳｉｇｍａ−ＡｌｄｒｉｃｈおよびＡｃｒｏｓ  Ｏｒｇａｎｉｃｓなどの商業的供給源から得られる。ポリアクリルアミドを、公開された方法に適合させることによって完全にメチル化して［Ｏｒｇ．  Ｓｙｎｔｈ．  Ｃｏｌｌ、５巻、３１５ページ（１９７３年）およびその参考文献］、例示的なポリアクリルアミドを形成する。１００ｇの変性ポリアクリルアミドを、その後、水（１Ｌ）、炭酸水素ナトリウム（２Ｍ）および２ＫＨＳＯ５・ＫＨＳＯ４・Ｋ２ＳＯ４（２Ｍ  ｗ／ｒ  ＫＨＳＯ５）の混合物に添加し、磁気撹拌子により１時間、機械的に撹拌する。そのポリマーを、その後、透析膜（分画分子量＝１０００）を使用して蒸留水に対して透析することによって精製する。凍結乾燥により、ペンダントジオキシラン部分を含む変性ポリアクリルアミドが得られる。
【００７６】
【化１３】
0005806409.tif 000014
【実施例１１】
【００７７】
スキーム１１によるペンダントジオキシラン部分を含む変性ポリアクリルアミドの調製。例示的なポリアクリルアミドであるポリジメチルアクリルアミドは、Ｉｓａｕｒｅ，  Ｆ．ら、Ｒｅａｃｔ．  Ｆｕｎｃｔ．  Ｐｏｌｙｍ．  ６６、６５〜７９ページ（２００６年）に従って調製する。ポリジメチルアクリルアミドを、その後、公開された方法に適合させることによって完全にメチル化する［Ｏｒｇ．  Ｓｙｎｔｈ．  Ｃｏｌｌ、５巻、３１５ページ（１９７３年）およびその参考文献］。１００ｇのメチル化ポリジメチルアクリルアミドを、その後、水（１Ｌ）、炭酸水素ナトリウム（２Ｍ）および２ＫＨＳＯ５・ＫＨＳＯ４・Ｋ２ＳＯ４（２Ｍ  ｗ／ｒ  ＫＨＳＯ５））の混合物に添加し、磁気撹拌子により１時間、機械的に撹拌する。そのポリマーを、その後、透析膜（分画分子量＝１０００）を使用して蒸留水に対して透析することによって精製する。凍結乾燥により、ペンダントジオキシラン部分を含む変性ポリアクリルアミドが得られる。
【００７８】
【化１４】
0005806409.tif 000015
【実施例１２】
【００７９】
スキーム１２によるペンダントジオキシラン部分を含むポリ（メチル）メタクリレートの調製。例示的なメタクリレートポリマーであるポリ（メチル）メタクリレートは、既知の方法およびＳｉｇｍａ−Ａｌｄｒｉｃｈなどの商業的供給源によって得られる。ポリ（メチル）メタクリレートを基本手順Ａにより酸化する。
【００８０】
【化１５】
0005806409.tif 000016
【実施例１３】
【００８１】
ペンダントジオキシラン部分を含むアラミドの調製。例示的なアラミドであるポリパラフェニレンテレフタルアミドは、パラ−フェニレンジアミンとテレフタロイルジクロリドの化合などの既知の方法ならびにＤｕＰｏｎｔ（ＫＥＶＬＡＲとして販売されている）などの商業的供給源によって得られる。ポリパラフェニレンテレフタルアミドを基本手順Ａにより酸化する。そのようなプロセスをスキーム１３に示す。ここで、両方のカルボニル基がジオキシラントに変換されるが、１つの基のみが変換されてもよく、ポリマー中のすべてのモノマー単位が変換される必要はないことが理解されるべきである。
【００８２】
【化１６】
0005806409.tif 000017
【実施例１４】
【００８３】
ペンダントジオキシラン部分を含むポリ尿素の調製。スパンデックスは、既知の方法によって、およびＩｎｖｉｓｔａなどの商業的供給源から得られる。例示的なるポリ尿素であるスパンデックスを基本手順Ａにより酸化する。そのようなプロセスをスキーム１４に示す。ここで、両方のカルボニル基がジオキシラントに変換されるが、１つの基のみが変換されてもよく、ポリマー中のすべてのモノマー単位が変換される必要はないことが理解されるべきである。
【００８４】
【化１７】
0005806409.tif 000018
【実施例１５】
【００８５】
ペンダントジオキシラン部分を含む変性ポリ尿素の調製。スパンデックスを、公開された方法に適合させることによって完全にメチル化して［Ｏｒｇ．  Ｓｙｎｔｈ．  Ｃｏｌｌ、５巻、３１５ページ（１９７３年）およびその参考文献］、例示的な変性ポリ尿素を形成する。１００ｇのメチル化スパンデックスを、その後、水（１Ｌ）、炭酸水素ナトリウム（２Ｍ）および２ＫＨＳＯ５・ＫＨＳＯ４・Ｋ２ＳＯ４（２Ｍ  ｗ／ｒ  ＫＨＳＯ５））の混合物に添加し、磁気撹拌子により１時間、機械的に撹拌する。そのポリマーを、その後、透析膜（分画分子量＝１０００）を使用して蒸留水に対して透析することによって精製する。凍結乾燥により、ペンダントジオキシラン部分を含む変性スパンデックスが得られる。そのようなプロセスをスキーム１５に示す。ここで、両方のカルボニル基がジオキシラントに変換されるが、１つの基のみが変換されてもよく、ポリマー中のすべてのモノマー単位が変換される必要はないことが理解されるべきである。
【００８６】
【化１８】
0005806409.tif 000019
【実施例１６】
【００８７】
スキーム１６によるペルフルオロ安定化（ｐｅｒｆｌｕｏｒｏ  ｓｔａｂｉｌｉｚｅｄ）ペンダントジオキシラン部分を含むポリマーの調製。ペンダントペルフルオロ基を有する例示的なポリマーである１，１，１−トリフルオロ−３，３，４−トリメチルペント−４−エン−２−オンを、公開された方法に従い調製する［Ｎｅｎａｊｄｅｎｋｏ，  Ｖ．  Ｇ．  Ｔｅｔｒａｈｅｄｒｏｎ  ５０、１１０２３〜１１０３８ページ（１９９４年）］。１，１，１−トリフルオロ−３，３，４−トリメチルペント−４−エン−２−オンを、公開された方法に適合させることによって重合する［Ｚｈａｎｇ，  Ｊ．ら、Ｍａｃｒｏｍｏｌｅｃｕｌｅｓ  ３５、８８６９〜７７ページ（２００２年）；Ｍｏｎｉｅａｕ，  Ｃ．ら、Ｍａｃｒｏｍｏｌｅｃｕｌｅｓ  ３２、８２７７〜８２ページ（１９９９年）；Ｇｉｌｍｅｒ，  Ｔ．Ｃ．ら、Ｊ．  Ｐｏｌｙｍ．  Ｓｃｉ．  Ｐｏｌ．  Ｃｈｅｍ．  ３４、１０２５〜３７ページ（１９９６年）およびその参考文献］。ポリ（１，１，１−トリフルオロ−３，３，４−トリメチルペント−４−エン−２−オン）を基本手順Ａにより酸化する。
【００８８】
【化１９】
0005806409.tif 000020
【実施例１７】
【００８９】
スキーム１７によるペルフルオロ安定化ペンダントジオキシラン部分を含む分岐骨格ポリマーの調製。例示的な分岐ポリマーである４−エトキシ−１，１，１−トリフルオロブト−３−エン−２−オンは、既知の方法によって得られ、Ｓｉｇｍａ−Ａｌｄｒｉｃｈから商業的に入手可能である。４−エトキシ−１，１，１−トリフルオロブト−３−エン−２−オンを、公開された方法に適合させることによって重合する［Ｚｈａｎｇ，  Ｊ．ら、Ｍａｃｒｏｍｏｌｅｃｕｌｅｓ  ３５、８８６９〜７７ページ（２００２年）；Ｍｏｎｉｅａｕ，  Ｃ．ら、Ｍａｃｒｏｍｏｌｅｃｕｌｅｓ  ３２、８２７７〜８２ページ（１９９９年）；Ｇｉｌｍｅｒ，  Ｔ．Ｃ．ら、Ｊ．  Ｐｏｌｙｍ．  Ｓｃｉ．  Ｐｏｌ．  Ｃｈｅｍ．  ３４、１０２５〜３７ページ（１９９６年）およびその参考文献］。ポリ（４−エトキシ−１，１，１−トリフルオロブト−３−エン−２−オン）を基本手順Ａにより酸化する。
【００９０】
【化２０】
0005806409.tif 000021
【実施例１８】
【００９１】
スキーム１８によるペンダントジオキシラン部分を含むポリ（メチル−２−ケト−３−ブテノエート）の調製。メチル−２−ケト−３−ブテノエートを、公開された方法に適合させることによって商業的に入手可能な２−ケト−３−ブテン酸から調製する［Ｏｒｇ．  Ｓｙｎｔｈ．  Ｃｏｌｌ、３巻、６１０ページ（１９９５年）およびその参考文献］。メチル−２−ケト−３−ブテノエートを、公開された方法に適合させることによって重合する［Ｚｈａｎｇ，  Ｊ．ら、Ｍａｃｒｏｍｏｌｅｃｕｌｅｓ  ３５、８８６９〜７７ページ（２００２年）；Ｍｏｎｉｅａｕ，  Ｃ．ら、Ｍａｃｒｏｍｏｌｅｃｕｌｅｓ  ３２、８２７７〜８２ページ（１９９９年）；Ｇｉｌｍｅｒ，  Ｔ．Ｃ．ら、Ｊ．  Ｐｏｌｙｍ．  Ｓｃｉ．  Ｐｏｌ．  Ｃｈｅｍ．  ３４、１０２５〜３７ページ（１９９６年）およびその参考文献］。ポリ（メチル−２−ケト−３−ブテノエート）を基本手順Ａにより酸化する。
【００９２】
【化２１】
0005806409.tif 000022
【実施例１９】
【００９３】
スキーム１９によるペンダントジオキシラン部分を含むポリ（メチル−２−ケト−４−ペンテノエート）の調製。メチル−２−ケト−４−ペンテノエートを、公開された方法に適合させることによって商業的に入手可能な２−ケト−４−ペンテン酸から調製する［Ｏｒｇ．  Ｓｙｎｔｈ．  Ｃｏｌｌ、３巻、６１０ページ（１９９５年）およびその参考文献］。メチル−２−ケト−４−ペンテノエートを、公開された方法に適合させることによって重合する［Ｚｈａｎｇ，  Ｊ．ら、Ｍａｃｒｏｍｏｌｅｃｕｌｅｓ  ３５、８８６９〜７７ページ（２００２年）；Ｍｏｎｉｅａｕ，  Ｃ．ら、Ｍａｃｒｏｍｏｌｅｃｕｌｅｓ  ３２、８２７７〜８２ページ（１９９９年）；Ｇｉｌｍｅｒ，  Ｔ．Ｃ．ら、Ｊ．  Ｐｏｌｙｍ．  Ｓｃｉ．  Ｐｏｌ．  Ｃｈｅｍ．  ３４、１０２５〜３７ページ（１９９６年）およびその参考文献］。ポリ（メチル−２−ケト−４−ペンテノエート）を基本手順Ａにより酸化する。
【００９４】
【化２２】
0005806409.tif 000023
【実施例２０】
【００９５】
ポリマーによる液体のろ過。殺菌したグラスウールの栓を、ガラスカラムの底に入れる。ガラスカラムを、その後、実施例１８のポリ（メチル−２−ケト−３−ペンテノエート）を含む１００ｇのジオキシランで満たす。その後、生物学的汚染物質を含む３００ｍＬの水を、静かにそのカラムに入れる。その水を、その後、ポリマーに通して受けフラスコに移動させる。フィルターとしてのポリマーの使用により、水中の生物学的汚染物質が酸化される。フィルターは、酸化された汚染物質をさらに捕捉してもよく、または酸化された生物学的汚染物質は水に残ったままであるが、その活性は酸化の結果、実質的に低減または除去される。
【実施例２１】
【００９６】
液体フィルターの再生。水（１Ｌ）、炭酸水素ナトリウム（２Ｍ）および２ＫＨＳＯ５・ＫＨＳＯ４・Ｋ２ＳＯ４（ＫＨＳＯ５に関して２Ｍ）の溶液を作製する（「ペルオキシモノサルフェート溶液」）。ろ過後に、実施例２０の液体フィルターに３００ｍＬのペルオキシモノサルフェート溶液を入れる。その溶液を、その後、ポリマーに通して受けフラスコに移動させてジオキシラン部分を再生し、分解された汚染物質の除去を助ける。これを、新しいペルオキシモノサルフェート溶液でさらに２回繰り返してもよい。その液体フィルターを、その後、１００ｍＬポーションの蒸留水を用いて２回フラッシュして、再生で残った任意の塩を除去してもよい。
【実施例２２】
【００９７】
エアフィルターの作製。実施例３のペンダントジオキシラン部分を含むポリ乳酸を多孔質のシートに圧入する。そのシートに、その後、ひだをつけ、スチールスクリーンの端を囲むように接着剤でつけることによってスチールスクリーンとつなぐ。
【実施例２３】
【００９８】
２つのポリマーを使用したエアフィルターの作製。実施例３のペンダントジオキシラン部分を含むポリ乳酸および実施例１９のペンダントジオキシラン部分を含むポリ（メチル−２−ケト−４−ペンテノエート）をともに多孔質のシートに圧入する。そのシートに、その後、ひだをつけ、スチールスクリーンの端を囲むように接着剤でつけることによってスチールスクリーンとつなぐ。
【実施例２４】
【００９９】
実施例２３のエアフィルターの使用。実施例２３のエアフィルターを、家庭用ＨＶＡＣシステムのフィルターホルダーに入れる。ＨＶＡＣシステムのスイッチを入れ、その設計に従って作動させる。ＨＶＡＣシステムにおけるフィルターの使用により、家の空気から生物学的汚染物質および化学的汚染物質が除去される。
【実施例２５】
【０１００】
実施例２４のエアフィルターの再生利用。ポリマーフィルター上のジオキシラン部分が実質的に低減された後、または予め決められた期間の後に、ポリマーフィルター上のジオキシラン部分が再生されてもよい。フィルターには、水様のペルオキシモノサルフェート溶液が噴霧されてもよく、またはこれに浸漬されてもよい。この溶液は、２５ミリモルの濃度のカリウムペルオキシモノサルフェート（ＯＸＯＮＥ（登録商標）、ＤｕＰｏｎｔ、ウィルミントン、ＤＥ）；ｐＨを約７に調節するための炭酸水素ナトリウム（Ｓｉｇｍａ−Ａｌｄｒｉｃｈ、セントルイス、ＭＯ）および約１ミリモルの濃度の臭化セチルトリメチルアンモニウム（Ｓｉｇｍａ−Ａｌｄｒｉｃｈ、セントルイス、ＭＯ）を含んでもよい。フィルターを「リチャージする」または「再生利用する」ために、フィルターに噴霧後またはフィルターを浸漬後、それにより、ポリマー上のカルボニル基がペンダントジオキシラン部分に変換される。フィルターに噴霧後またはフィルターを浸漬後、フィルターを蒸留水ですすいでもよい。
【０１０１】
均等形態
特定の実施形態について示し、記載したが、添付した特許請求の範囲において定義されるとおりのより広い態様において本技術から逸脱することなく、当該技術分野における通常の技術によりそれに変更および改変が行われてもよいことを理解すべきである。
【０１０２】
実例として本明細書に記載される実施形態は、本明細書中で具体的に開示されていない任意の１つまたは複数の要素、１つまたは複数の限定の非存在下において適切に実施されてもよい。したがって、例えば、「含む（ｃｏｍｐｒｉｓｉｎｇ）」、「含む（ｉｎｃｌｕｄｉｎｇ）」、「含む（ｃｏｎｔａｉｎｉｎｇ）」などの用語は、拡張的に解釈され、限定されない。さらに、本明細書中で使用される用語および表現は、限定ではなく説明の用語として使用されており、そのような用語および表現の使用には、示され、記載される特徴のいかなる均等形態またはその一部も除外する意図はなく、特許請求される技術の範囲内でさまざまな改変が可能であることが認識される。さらに、「〜から本質的になる（ｃｏｎｓｉｓｔｉｎｇ  ｅｓｓｅｎｔｉａｌｌｙ  ｏｆ）」という語句は、具体的に列挙された要素および特許請求される技術の基本的な新規の特性に実質的に影響を及ぼさない追加の要素を含むものと理解される。「〜からなる（ｃｏｎｓｉｓｔｉｎｇ  ｏｆ）」という語句は、明記されていないいかなる要素も除外するものである。
【０１０３】
本開示は、本出願に記載される特定の実施形態に関して限定されるものではなく、さまざまな態様を説明することを意図する。当業者には明白なように、その趣旨および範囲から逸脱することなく多くの改変形態および変形形態を作製できる。本明細書中で列挙されたものに加えて、本開示の範囲内で機能的に均等の組成物、装置および方法が、前述の説明から当業者には明らかであろう。そのような改変形態および変形形態は、添付した特許請求の範囲の範囲内に入ることが意図される。本開示は、添付した特許請求の範囲の用語によってのみ限定され、そのような特許請求の範囲が権利を与えられる全範囲の均等形態を伴う。本開示は、特定の方法、試薬、化合物、組成物または生物系に限定されるものではなく、それらは、当然変化可能であることが理解されるべきである。本明細書中で使用される術語は、特定の実施形態を説明するためのものに過ぎず、限定の意図はないことも理解されるべきである。
【０１０４】
さらに、本開示の特徴または態様がマーカッシュ群により記載される場合、当業者は、本開示が、それにより、マーカッシュ群の任意の個々のメンバーまたはメンバーの部分群に関しても記載されることを認識するであろう。
【０１０５】
当業者に理解されるであろうように、任意のおよびあらゆる目的に対して、特に、明細書を提供することに関して、本明細書中で開示されるあらゆる範囲は、任意のおよびすべての可能性のある部分範囲およびその部分範囲の組み合わせも包含する。挙げられた任意の範囲は、十分に記載されて、同じ範囲の少なくとも２等分、３等分、４等分、５等分、１０等分などへの分解を可能にすることが容易に認識され得る。非限定例としては、本明細書中で述べられる各範囲は、下部の３分の１、中間の３分の１および上部の３分の１などに容易に分解できる。これも当業者に理解されるであろうように、「最大」、「少なくとも」、「超」、「未満」などのすべての用語は、列挙された数を含み、続いて上記のような部分範囲に分解できる範囲を指す。同様に、語句「少なくとも約」何らかの値、例えば、重量％などは、少なくともその値およびおよそのその値を含む。例えば、「少なくとも約１重量％」とは、「少なくとも１重量％または約１重量％」を意味する。最後に、当業者に理解されるであろうように、範囲には、それぞれ個々のメンバーが含まれる。
【０１０６】
その他の実施形態を、特許請求の範囲に記載する。